(57)【要約】【課題】放送信号に基づく画像の表示領域を縮小することなく通知画像による速報を通知するとともに、当該速報に関係する情報を提供することができる携帯端末、携帯端末において速報を報知するための方法、および携帯端末において速報を報知するためのプログラムを提供する。【解決手段】携帯端末１０は、放送信号に基づいてテレビ画像を表示するための第１液晶表示装置１２と、画像を表示するための第２液晶表示装置１６とを含み、速報を通知する信号を受信した場合に、当該速報を通知するテロップ画像の表示を、第１液晶表示装置１２から第２液晶表示装置１６に変更し、速報に関係する情報を、第２液晶表示装置１６に表示させる。【選択図】図１
2013192035.tif 000002
【特許請求の範囲】
【請求項１】
放送信号を受信するための受信手段と、
前記放送信号に基づいて画像を表示するための第１表示手段と、
画像を表示するための第２表示手段と、
前記受信手段が速報を通知する信号を受信した場合に、当該速報を通知する通知画像の表示を、前記第１表示手段から前記第２表示手段に変更するための表示変更手段と、
前記通知画像の表示が前記第１表示手段から前記第２表示手段に変更された場合に、前記速報に関係する情報を、当該第２表示手段に表示させるための表示制御手段とを含む、携帯端末。
【請求項２】
携帯端末は、前記第２表示手段に表示された前記通知画像を認識するための認識手段をさらに含み、
前記表示制御手段は、前記認識手段によって認識された前記通知画像に基づき、前記速報に関係する情報を前記第２表示手段に表示させる、請求項１に記載の携帯端末。
【請求項３】
携帯端末は、前記受信手段によって受信された速報を通知する信号を、前記放送信号から検出するための検出手段をさらに含み、
前記表示制御手段は、前記検出手段によって検出された前記速報を通知する信号に基づき、前記速報に関係する情報を前記第２表示手段に表示させる、請求項１に記載の携帯端末。
【請求項４】
前記認識手段は、前記通知画像に含まれる文字情報を認識する、請求項２に記載の携帯端末。
【請求項５】
携帯端末は、前記速報に関係する情報と、当該速報に関係する情報に対応付けられた文字情報とを格納するための記憶手段をさらに含み、
前記表示制御手段は、前記認識手段によって認識された文字情報と、前記記憶手段に格納された文字情報とに基づき前記記憶手段から抽出された前記速報に関係する情報を、前記第２表示手段に表示させる、請求項４に記載の携帯端末。
【請求項６】
前記速報は、地震発生に関係する速報を含み、
前記第２表示手段に表示される前記速報に関係する情報は、地震発生に関係する地図情報を含む、請求項１〜５のいずれかに記載の携帯端末。
【請求項７】
前記速報は、地震発生に関係する速報を含み、
前記第２表示手段に表示される前記速報に関係する情報は、地震発生に関係する人の連絡先情報を含む、請求項１〜６のいずれかに記載の携帯端末。
【請求項８】
携帯端末は、ネットワークを介して通信可能な他の端末と通信することにより、前記速報に関係する情報を取得するための通信手段をさらに含み、
前記第２表示手段に表示される前記速報に関係する情報は、前記通信手段によって前記他の端末と通信することにより取得された情報を含む、請求項１〜７のいずれかに記載の携帯端末。
【請求項９】
前記第１表示手段は、前記放送信号に基づいてテレビ画像を表示し、
前記通知画像は、前記テレビ画像の中のテロップ画像を含む、請求項１〜８のいずれかに記載の携帯端末。
【請求項１０】
第１表示部と第２表示部とを含む携帯端末において速報を報知するための方法であって、
放送信号を受信するステップと、
前記放送信号に基づいて前記第１表示部に画像を表示させるステップと、
速報を通知する信号を受信した場合に、当該速報を通知する通知画像の表示を、前記第１表示部から画像を表示するための前記第２表示部に変更するステップと、
前記通知画像の表示が前記第１表示部から前記第２表示部に変更された場合に、前記速報に関係する情報を、当該第２表示部に表示させるステップとを含む、携帯端末において速報を報知するための方法。
【請求項１１】
第１表示部と第２表示部とを含む携帯端末において速報を報知するためのプログラムであって、
前記プログラムは、前記携帯端末が備えるプロセッサに、
放送信号を受信するステップと、
前記放送信号に基づいて前記第１表示部に画像を表示させるステップと、
速報を通知する信号を受信した場合に、当該速報を通知する通知画像の表示を、前記第１表示部から画像を表示するための前記第２表示部に変更するステップと、
前記通知画像の表示が前記第１表示部から前記第２表示部に変更された場合に、前記速報に関係する情報を、当該第２表示部に表示させるステップとを実行させる、携帯端末において速報を報知するためのプログラム。
【発明の詳細な説明】
【技術分野】
【０００１】
この発明は、携帯端末の制御に関し、より特定的には、携帯端末において速報を報知するための技術に関する。
【背景技術】
【０００２】
従来、液晶表示装置などの表示手段において放送信号に基づくテレビ画像が表示されている間に、地震発生などの速報を通知する通知画像（たとえば、テロップ画像）が表示されることがあった。テレビ画像の視聴者は、このような通知画像によって、重要な速報をリアルタイムで知ることが可能となっていた。その半面、通知画像が表示されることによって、すでに表示されていたテレビ画像の表示領域が縮小したり、あるいは、テレビ画像の表示領域の一部に通知画像が重なって表示されたりと、テレビ画像に対する視聴者の視野が狭くなってしまう問題があった。
【０００３】
そこで、特許文献１（特開２００９−１４７７４９号公報）には、通知画像を表示する特定領域（たとえば、テロップ領域）を消去することにより、番組コンテンツが表示されているメイン映像の領域を拡大表示することが可能な映像再生装置が開示されている。
【０００４】
一方、特許文献２（特開２００８−２９９８５１号公報）には、電子メールに記載された文字情報を認識することにより、当該文字情報に関係する情報を提供可能なシステムが開示されている。
【先行技術文献】
【特許文献】
【０００５】
【特許文献１】特開２００９−１４７７４９号公報
【特許文献２】特開２００８−２９９８５１号公報
【発明の概要】
【発明が解決しようとする課題】
【０００６】
しかしながら、特許文献１に開示された発明においては、通知画像の消去によって放送信号に基づくテレビ画像のみを表示させることが可能となるが、消去された通知画像を視聴者が確認することができなかった。そのため、リアルタイムでテレビ画像を表示させていたときに特許文献１に開示された発明を用いた場合には、視聴者がリアルタイムで重要な速報を確認することができず、緊急事態であっても後からニュースなどで知ることになり、問題となっていた。
【０００７】
一方、通知画像で示される情報は、従来、簡単な内容のみしか報知されず、結局はニュースや新聞、インターネットを用いて調べるなどをしないと詳細が分からないといった問題があった。
【０００８】
そこで、特許文献２に開示された発明を用いて通知画像に表示された文字情報を認識することにより、速報に関係する情報を表示させることが考えられるが、当該発明は、電子メールに記載された文字情報を認識することしかできず、目的を果たすことができなかった。
【０００９】
本発明は、かかる実情に鑑み考え出されたものであり、その目的は、放送信号に基づく画像の表示領域を縮小することなく通知画像による速報を通知するとともに、当該速報に関係する情報を提供することができる携帯端末、携帯端末において速報を報知するための方法、および携帯端末において速報を報知するためのプログラムを提供することである。
【課題を解決するための手段】
【００１０】
一実施の形態に従う携帯端末は、放送信号を受信するための受信手段と、放送信号に基づいて画像を表示するための第１表示手段と、画像を表示するための第２表示手段と、受信手段が速報を通知する信号を受信した場合に、当該速報を通知する通知画像の表示を、第１表示手段から第２表示手段に変更するための表示変更手段と、通知画像の表示が第１表示手段から第２表示手段に変更された場合に、速報に関係する情報を、当該第２表示手段に表示させるための表示制御手段とを含む。
【００１１】
好ましくは、携帯端末は、第２表示手段に表示された通知画像を認識するための認識手段をさらに含み、表示制御手段は、認識手段によって認識された通知画像に基づき、速報に関係する情報を第２表示手段に表示させる。
【００１２】
好ましくは、携帯端末は、受信手段によって受信された速報を通知する信号を、放送信号から検出するための検出手段をさらに含み、表示制御手段は、検出手段によって検出された速報を通知する信号に基づき、速報に関係する情報を第２表示手段に表示させる。
【００１３】
好ましくは、認識手段は、通知画像に含まれる文字情報を認識する。
好ましくは、携帯端末は、速報に関係する情報と、当該速報に関係する情報に対応付けられた文字情報とを格納するための記憶手段をさらに含み、表示制御手段は、認識手段によって認識された文字情報と、記憶手段に格納された文字情報とに基づき記憶手段から抽出された速報に関係する情報を、第２表示手段に表示させる。
【００１４】
好ましくは、速報は、地震発生に関係する速報を含み、第２表示手段に表示される速報に関係する情報は、地震発生に関係する地図情報を含む。
【００１５】
好ましくは、速報は、地震発生に関係する速報を含み、第２表示手段に表示される速報に関係する情報は、地震発生に関係する人の連絡先情報を含む。
【００１６】
好ましくは、携帯端末は、ネットワークを介して通信可能な他の端末と通信することにより、速報に関係する情報を取得するための通信手段をさらに含み、第２表示手段に表示される速報に関係する情報は、通信手段によって他の端末と通信することにより取得された情報を含む。
【００１７】
好ましくは、第１表示手段は、放送信号に基づいてテレビ画像を表示し、通知画像は、テレビ画像の中のテロップ画像を含む。
【００１８】
他の形態に従うと、第１表示部と第２表示部とを含む携帯端末において速報を報知するための方法が提供される。この方法は、放送信号を受信するステップと、放送信号に基づいて第１表示部に画像を表示させるステップと、速報を通知する信号を受信した場合に、当該速報を通知する通知画像の表示を、第１表示部から画像を表示するための第２表示部に変更するステップと、通知画像の表示が第１表示部から第２表示部に変更された場合に、速報に関係する情報を、当該第２表示部に表示させるステップとを含む。
【００１９】
さらに他の形態に従うと、第１表示部と第２表示部とを含む携帯端末において速報を報知するためのプログラムが提供される。このプログラムは、携帯端末が備えるプロセッサに、放送信号を受信するステップと、放送信号に基づいて第１表示部に画像を表示させるステップと、速報を通知する信号を受信した場合に、当該速報を通知する通知画像の表示を、第１表示部から画像を表示するための第２表示部に変更するステップと、通知画像の表示が第１表示部から第２表示部に変更された場合に、速報に関係する情報を、当該第２表示部に表示させるステップとを実行させる。
【図面の簡単な説明】
【００２０】
【図１】本実施の形態における携帯端末において、テロップ画像による速報の通知態様を説明するための図である。
【図２】本実施の形態における携帯端末のハードウェアブロック図である。
【図３】本実施の形態における携帯端末の機能ブロック図である。
【図４】通常時にテレビ画像の表示をしている状態から、速報時にテロップ画像の表示を変更するまでにおける、第１液晶表示装置および第２液晶表示装置の画面推移を説明するための図である。
【図５】速報時にテロップ画像の表示が変更されてから、速報に関係する情報が表示されるまでにおける、第１液晶表示装置および第２液晶表示装置の画面推移を説明するための図である。
【図６】本実施の形態におけるＲＡＭに格納されたＷｅｂページ情報記憶テーブルを説明するための図である。
【図７】本実施の形態におけるＲＡＭに格納された安否確認情報記憶テーブルを説明するための図である。
【図８】本実施の形態におけるＣＰＵが実行する速報時画面変更処理のフローチャート図である。
【図９】本実施の形態におけるＣＰＵが実行する地図情報表示処理のフローチャート図である。
【図１０】本実施の形態におけるＣＰＵが実行するＷｅｂページ表示処理のフローチャート図である。
【図１１】本実施の形態におけるＣＰＵが実行する安否確認処理のフローチャート図である。
【発明を実施するための形態】
【００２１】
以下、この発明の実施の形態について、図面を参照しながら詳細に説明する。なお、図中の同一または相当部分については、同一符号を付してその説明は繰返さない。
【００２２】
（本実施の形態の概要）
図１は、本実施の形態における携帯端末１０において、テロップ画像による速報の通知態様を説明するための図である。
【００２３】
図１に示すように、本実施の形態における携帯端末１０は、たとえば、中央の軸に沿って折りたたむことが可能な折りたたみ式（クラムシェル型ともいう）の携帯電話を一例とする。携帯端末１０は、中央の軸を中心として両側に第１液晶表示装置１２および第２液晶表示装置１６を含む。
【００２４】
第１液晶表示装置１２は、後述する通信装置２０によって受信されたテレビ局からの放送信号に基づいて、テレビ画像を表示する。第２液晶表示装置１６は、種々の画像を表示する。第２液晶表示装置１６の表示パネルには、タッチパネル１１が貼合わされている。ここで、「放送信号」は、テレビ局から送信されるテレビ放送信号に限らず、ラジオ局から送信されるラジオ放送信号、および地震発生時や選挙の開票時などに速報を通知するために各テレビ局から送信される緊急警報放送信号などを含む。
【００２５】
通常時において、第１液晶表示装置１２は、画面の全領域にテレビ画像を表示する。一方、第２液晶表示装置１６は、タッチパネル１１を用いて選択可能なアイコン、ダイヤルキー、十字キー、およびその他のファンクションキーの画像を表示する。これにより、視聴者は、第１液晶表示装置１２に表示されたテレビ画像を視聴することができるとともに、第２液晶表示装置１６に表示されたアイコンなどを選択してタッチパネル１１で押圧操作することができるようになっている。
【００２６】
一方、地震発生時や選挙の開票時などの速報があるときは、第１液晶表示装置１２の画面上には、後述する図４に示す画面Ｂのように、テロップ画像が表示される。ここで、「テロップ画像」とは、たとえば、地震発生時や選挙の開票時などの速報を通知する「通知画像」である。たとえば、地震発生時であれば、テロップ画像には、地震速報として震源地や被災地の名前、および各地の震度などの簡単な情報が表示される。
【００２７】
なお、本実施の形態において、このようなテロップ画像は、第１液晶表示装置１２における画面上の通知領域１２ａに表示されるようになっている。したがって、テロップ画像が通知領域１２ａに表示された場合、画面上に表示されているテレビ画像は表示領域が縮小し、テレビ画像に対する視聴者の視野が狭くなる。そこで、本実施の形態においては、図１に示すように、第１液晶表示装置１２に表示されたテロップ画像が、第１液晶表示装置１２の画面上から、第２液晶表示装置１６における画面上の通知領域１６ａに変更されて表示されるようになっている。
【００２８】
このように、本実施の形態によれば、第１液晶表示装置１２に速報を通知するテロップ画像が表示された場合には、当該テロップ画像の表示が第１液晶表示装置１２から第２液晶表示装置１６に変更される。これにより、第１液晶表示装置１２においてはテロップ画像を除いたテレビ画像のみを表示させることができるとともに、第２液晶表示装置１６においてはテロップ画像によって速報を通知することができる。したがって、放送信号に基づくテレビ画像の表示領域を縮小することなくテロップ画像による速報を通知することができる。
【００２９】
さらに、図１に示すように、本実施の形態においては、第２液晶表示装置１６の画面上に、速報に関係する情報が表示されるようになっている。ここで、「速報に関係する情報」とは、地震発生や選挙の開票などに関する詳細な情報である。たとえば、地震発生時であれば、速報に関係する情報は、震源地や被災地を示すとともに各地の震度を示す詳細な地図情報が第２液晶表示装置１６に表示される。このような速報に関係する情報を表示することによって、視聴者は、より詳細に速報に関係する情報を知ることができ、後でニュースや新聞、インターネットなどを用いて調べる必要がなくなる。
【００３０】
このように、本実施の形態によれば、テロップ画像の表示が第１液晶表示装置１２から第２液晶表示装置１６に変更された場合に、速報に関係する情報が第２液晶表示装置１６に表示される。これにより、第２液晶表示装置１６においては、テロップ画像によって速報を通知することができるとともに、速報に関係する情報を提供することができる。
【００３１】
（携帯端末のハードウェア構成）
次に、図２を参照して、本実施の形態における携帯端末１０のハードウェア構成について説明する。図２は、本実施の形態における携帯端末１０のハードウェアブロック図である。
【００３２】
図２に示すように、携帯端末１０は、タッチパネル１１、ＲＡＭ１４、ＲＯＭ（Read  Only  Memory）１３、ＣＰＵ（Central  Processing  Unit）１５、第１液晶表示装置１２、第２液晶表示装置１６、通信装置２０、マイク１７、およびスピーカ１８を含む。
【００３３】
タッチパネル１１は、ユーザによって指や付属のタッチペンで表面の導電膜が押圧操作されることによって、当該押圧操作を受付ける。より具体的に、タッチパネル１１は、第２液晶表示装置１６の表示パネルに貼合わされており、第２液晶表示装置１６に表示される表示画像は、タッチパネル１１を介して視聴者であるユーザが視認可能になっている。ユーザは、タッチパネル１１に表示されたアイコン、ダイヤルキー、十字キー、およびその他のファンクションキーを指や付属のタッチペンで押圧操作することにより、押圧された箇所に対応する指令を入力することができる。押圧操作を受付けたタッチパネル１１は、当該押圧操作に基づく電気信号をＣＰＵ１５に出力する。
【００３４】
ＲＯＭ１３は、ＣＰＵ１５によって実行される各種処理に関するプログラム、および当該プログラムを実行する際に用いる各種のデータテーブルを格納する。
【００３５】
ＲＡＭ１４は、ＣＰＵ１５によって実行される各種処理に関するプログラム、および当該プログラムを実行する際に用いる各種のデータテーブルを格納する。本実施の形態において、ＲＡＭ１４には、後述する図８の速報時画面変更処理、図９の地図情報表示処理、図１０のＷｅｂページ表示処理、および図１１の安否確認処理を実行するためのプログラムが少なくとも格納される。また、ＲＡＭ１４には、当該プログラムを実行する際に用いるデータテーブルとして、図６のＷｅｂページ情報記憶テーブルおよび図７の安否確認情報記憶テーブルが少なくとも格納される。また、ＲＡＭ１４は、後述する通信装置２０によって受信された放送信号に基づく画像情報を少なくとも格納する。
【００３６】
なお、ＲＯＭ１３およびＲＡＭ１４は、携帯端末１０の本体から着脱可能な記録媒体によって実現されても良い。また、記録媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムやデータを格納する媒体であってもよい。
【００３７】
ＣＰＵ１５は、ＲＯＭ１３およびＲＡＭ１４に格納されたプログラムに基づく処理を実行する。本実施の形態におけるＣＰＵ１５は、特に、ＲＡＭ１４に格納されたプログラムを実行することにより、少なくとも図８の速報時画面変更処理、図９の地図情報表示処理、図１０のＷｅｂページ表示処理、および図１１の安否確認処理を実行する。また、ＣＰＵ１５は、後述する通信装置２０によって受信された放送信号に基づく画像情報をＲＡＭ１４に格納するとともに、当該ＲＡＭ１４に格納した画像情報に基づく画像を第１液晶表示装置１２および第２液晶表示装置１６に表示させる。また、ＣＰＵ１５は、通信装置２０を制御して、ネットワークを介して通信可能な他の端末と通信させる。
【００３８】
第１液晶表示装置１２は、ＣＰＵ１５の制御に基づいて、通信装置２０によって受信されたテレビ局からの放送信号に基づくテレビ画像を表示する。また、通信装置２０が速報を通知する信号を受信したときには、第１液晶表示装置１２は、ＣＰＵ１５の制御に基づいて、テロップ画像を通知領域１２ａに表示する。
【００３９】
第２液晶表示装置１６は、ＣＰＵ１５の制御に基づいて、アイコン、ダイヤルキー、十字キー、およびその他のファンクションキーの画像を表示する。また、通信装置２０が速報を通知する信号を受信したときには、第２液晶表示装置１６は、ＣＰＵ１５の制御に基づいて、第１液晶表示装置１２に表示されていたテロップ画像を通知領域１６ａに表示する。さらに、第２液晶表示装置１６は、ＣＰＵ１５の制御に基づいて、速報に関係する情報を表示する。
【００４０】
通信装置２０は、無線アンテナ２１および通信電源２２を少なくとも含む。無線アンテナ２１は、ＣＰＵ１５の制御に基づいて、ネットワークを介して通信可能な他の端末と通信することにより、文字、音声、画像、動画などに関する情報を送受信する。本実施の形態において、無線アンテナ２１は、電話着信応答に関する信号、メール送受信に関する信号を送受信する。また、無線アンテナ２１は、テレビ局から送信された放送信号を受信する。さらに、無線アンテナ２１は、ネットワークを介して通信可能な他の端末と通信することにより、地震関連や選挙関連などの各種情報を取得する。通信電源２２は、ＣＰＵ１５の制御に基づき、無線アンテナ２１を駆動する電力を供給し、または当該供給を遮断する。
【００４１】
マイク１７は、ユーザなどによって音声が外部から入力された際、当該音声情報を受付ける。
【００４２】
スピーカ１８は、外部に対して音を出力する。本実施の形態において、スピーカ１８は、テレビ放送の音や電話着信時の相手側からの音声を少なくとも出力する。
【００４３】
（携帯端末の機能ブロック構成）
次に、図３を参照して、本実施の形態における携帯端末１０の機能ブロック構成について説明する。図３は、本実施の形態における携帯端末１０の機能ブロック図である。
【００４４】
図３に示すように、携帯端末１０は、タッチセンサ１１０、記憶部１３０、制御部１５０、第１液晶表示部１２０、第２液晶表示部１６０、通信部２００、音入力部１７０、および音出力部１８０の各種機能を有する。
【００４５】
タッチセンサ１１０は、たとえば、タッチパネル１１によって実現される。タッチセンサ１１０は、ユーザからの入力を受付け、当該入力情報に基づく電気信号を制御部１５０に出力する。
【００４６】
記憶部１３０は、たとえば、ＲＯＭ１３およびＲＡＭ１４によって実現される。記憶部１３０は、各種情報を格納する。本実施の形態において、記憶部１３０は、図８の速報時画面変更処理、図９の地図情報表示処理、図１０のＷｅｂページ表示処理、および図１１の安否確認処理を実行するためのプログラムを少なくとも格納する。また、記憶部１３０は、図６のＷｅｂページ情報記憶テーブルおよび図７の安否確認情報記憶テーブルを少なくとも格納する。また、記憶部１３０は、後述する通信部２００によって受信された放送信号に基づく画像情報を少なくとも格納する。
【００４７】
制御部１５０は、たとえば、ＣＰＵ１５によって実現される。制御部１５０は、第１表示制御部１５１、第２表示制御部１５２、速報時表示制御部１５４、通信制御部１５５、記憶制御部１５７、および実行部１５３を含む。
【００４８】
第１表示制御部１５１は、記憶部１３０に格納された画像情報をもとに、第１液晶表示部１２０に種々の画像を表示させる。本実施の形態において、第１表示制御部１５１は、通信部２００によって受信された放送信号に基づく画像情報をもとに、テレビ画像を第１液晶表示部１２０に表示させる。また、第１表示制御部１５１は、通信部２００によって受信された速報を通知する信号に基づく画像情報をもとに、テロップ画像を第１液晶表示部１２０に表示させる。なお、第１液晶表示部１２０にテロップ画像を表示させる際、第１表示制御部１５１は、テレビ画像を縮小して表示させる。一方、第１液晶表示部１２０に表示させたテロップ画像を消去させる際、第１表示制御部１５１は、縮小していたテレビ画像を拡大して画面の全領域に表示させる。
【００４９】
第２表示制御部１５２は、記憶部１３０に格納された画像情報をもとに、第２液晶表示部１６０に種々の画像を表示させる。本実施の形態において、第２表示制御部１５２は、アイコン、ダイヤルキー、十字キー、およびその他のファンクションキーの画像を第２液晶表示部１６０に表示させる。また、第２表示制御部１５２は、後述する表示変更部１５６の制御に基づいて、テロップ画像を第２液晶表示部１６０に表示させる。さらに、第２表示制御部１５２は、表示変更部１５６の制御に基づいて、速報に関係する情報を第２液晶表示部１６０に表示させる。
【００５０】
速報時表示制御部１５４は、画面サイズ制御部１５８、文字情報認識部１５９、および表示変更部１５６を含む。
【００５１】
画面サイズ制御部１５８は、通信部２００によって速報を通知する信号が受信された場合に、第１液晶表示部１２０に表示されるテレビ画像を縮小した画像情報を、後述する記憶制御部１５７によって記憶部１３０に格納する。また、画面サイズ制御部１５８は、表示変更部１５６によってテロップ画像の表示が、第１液晶表示部１２０から第２液晶表示部１６０に変更された場合に、縮小されたテレビ画像を再度拡大した画像情報を、記憶制御部１５７によって記憶部１３０に格納する。
【００５２】
文字情報認識部１５９は、記憶部１３０に格納された画像情報に基づき、第２液晶表示部１６０に表示されたテロップ画像を認識し、当該テロップ画像に含まれる文字情報を認識（抽出）する。
【００５３】
表示変更部１５６は、通信部２００によって速報を通知する信号が受信された場合に、テロップ画像の表示を、第１液晶表示部１２０から第２液晶表示部１６０に変更するように、第１表示制御部１５１および第２表示制御部１５２を制御する。また、表示変更部１５６は、テロップ画像の表示を第１液晶表示部１２０から第２液晶表示部１６０に変更した際、速報に関係する情報を第２液晶表示部１６０に表示するように、第２表示制御部１５２を制御する。
【００５４】
通信制御部１５５は、通信部２００を制御して、ネットワークを介して通信可能な他の端末と通信させる。より具体的に、通信制御部１５５は、通信電源部２２０を制御して、無線部２１０に対して電力を供給し、または遮断する。そして、通信制御部１５５は、無線部２１０を制御して、ネットワークを介して通信可能な他の端末と通信させる。
【００５５】
記憶制御部１５７は、記憶部１３０に各種情報を記録させるとともに、記憶部１３０が記録する各種情報を読み出す。本実施の形態において、記憶制御部１５７は、通信部２００によって受信された放送信号や速報を通知する信号に基づく画像情報を記憶部１３０に記録させる。
【００５６】
実行部１５３は、タッチセンサ１１０からの入力に基づき種々の処理を実行する。たとえば、実行部１５３は、タッチセンサ１１０からの入力に応答してメールの送信処理や電話の発信処理を実行する。また、実行部１５３は、タッチセンサ１１０からの入力に応答して、記憶制御部１５７を制御することにより、後述する図６のＷｅｂページ情報記憶テーブルにキーワードやＷｅｂページの情報を格納させる。また、実行部１５３は、タッチセンサ１１０からの入力に応答して、記憶制御部１５７を制御することにより、後述する図７の安否確認記憶テーブルにキーワード１〜３や登録データの情報を格納させる。また、実行部１５３は、音入力部１７０から受付けられた音声に基づき、通信部２００を制御して、受付けた音声信号を通信相手に送信する通話処理を実行する。また、実行部１５３は、通信部２００によって通信相手から受信した音声信号に基づき、音出力部１８０に音声を出力させる。さらに、実行部１５３は、記憶部１３０に格納された図８の速報時画面変更処理、図９の地図情報表示処理、図１０のＷｅｂページ表示処理、および図１１の安否確認処理のプログラムを実行して、速報時表示制御部１５４を制御する。
【００５７】
第１液晶表示部１２０は、たとえば、第１液晶表示装置１２によって実現される。第１液晶表示部１２０は、第１表示制御部１５１の制御に基づき、各種画面を表示する。本実施の形態において、第１液晶表示部１２０は、通信部２００によって受信されたテレビ局からの放送信号に基づくテレビ画像を表示する。また、通信部２００が速報を通知する信号を受信したときには、第１液晶表示部１２０は、テロップ画像を通知領域１２ａに表示する。
【００５８】
第２液晶表示部１６０は、たとえば、第２液晶表示装置１６によって実現される。第２液晶表示部１６０は、第２表示制御部１５２の制御に基づき、各種画面を表示する。本実施の形態において、第２液晶表示部１６０は、アイコン、ダイヤルキー、十字キー、およびその他のファンクションキーの画像を表示する。また、通信部２００が速報を通知する信号を受信したときには、第２液晶表示部１６０は、第１液晶表示部１２０に表示されていたテロップ画像を通知領域１６ａに表示する。さらに、第２液晶表示部１６０は、速報に関係する情報を表示する。
【００５９】
通信部２００は、たとえば、通信装置２０によって実現される。通信部２００は、無線部２１０および通信電源部２２０を含む。無線部２１０は、たとえば、無線アンテナ２１によって実現される。無線部２１０は、通信制御部１５５の制御に基づき、ネットワークを介して通信可能な他の端末と通信することにより、文字、音声、画像、動画などに関する情報を送受信する。本実施の形態において、無線部２１０は、電話着信応答に関する信号、メール送受信に関する信号を送受信する。また、無線部２１０は、テレビ局から送信された放送信号を受信する。さらに、無線部２１０は、ネットワークを介して通信可能な他の端末と通信することにより、地震関連や選挙関連の各種情報を取得する。通信電源部２２０は、通信制御部１５５の制御に基づき、無線部２１０に対して電力を供給し、または当該供給を遮断する。
【００６０】
音入力部１７０は、たとえば、マイク１７によって実現される。音入力部１７０は、外部から入力された音声を受付け、当該音声を実行部１５３が処理できる音声信号に変換し、当該音声信号を実行部１５３に出力する。
【００６１】
音出力部１８０は、たとえば、スピーカ１８によって実現される。音出力部１８０は、実行部１５３からの音声信号に基づいて、音声を外部に対して出力する。
【００６２】
（第１液晶表示装置および第２液晶表示装置の画面推移）
次に、図４、５を参照して、第１液晶表示装置１２および第２液晶表示装置１６の画面推移について説明する。図４は、通常時にテレビ画像の表示をしている状態から、速報時にテロップ画像の表示を変更するまでにおける、第１液晶表示装置１２および第２液晶表示装置１６の画面推移を説明するための図である。
【００６３】
図４に示すように、画面Ａは、通常時のテレビ画像の表示態様を示している。画面Ａにおいては、第１液晶表示装置１２において、野球中継のテレビ画像が画面の全領域に表示される。
【００６４】
次に、通信装置２０が速報を通知する信号を受信したときには、表示態様が画面Ａから画面Ｂに推移する。画面Ｂは、速報時のテロップ画像の表示態様を示している。画面Ｂにおいては、第１液晶表示装置１２に表示されたテレビ画像が縮小されて、当該テレビ画像の上側と右側の通知領域１２ａに、地震速報を通知するテロップ画像が表示される。
【００６５】
次に、通信装置２０が速報を通知する信号を受信して第１液晶表示装置１２にテロップ画像が表示されたときには、表示態様が画面Ｂから画面Ｃに推移する。画面Ｃは、テロップ画像の表示が第１液晶表示装置１２から第２液晶表示装置１６に変更された表示態様を示している。画面Ｃにおいては、第１液晶表示装置１２に表示されていたテロップ画像が消去されるとともに、テレビ画像が画面の全領域に再度拡大表示される。また、第２液晶表示装置１６の通知領域１６ａには、テロップ画像が表示される。このように、携帯端末１０は、放送信号に基づくテレビ画像の表示領域を縮小することなくテロップ画像による速報を通知することができる。
【００６６】
次に、図５は、速報時にテロップ画像の表示が変更されてから、速報に関係する情報が表示されるまでにおける、第１液晶表示装置１２および第２液晶表示装置１６の画面推移を説明するための図である。
【００６７】
図５に示すように、画面Ｃにおいてテロップ画像の表示が、第１液晶表示装置１２から第２液晶表示装置１６に変更された後、画面Ｃは、画面Ｄ、画面Ｅ、または画面Ｆに推移する。
【００６８】
画面Ｄは、速報に関係する情報として地震発生に関する地図情報が表示される表示態様を示している。画面Ｄにおいては、第２液晶表示装置１６にテロップ画像が表示されるとともに、テロップ画像以外の領域に地図情報が表示される。この地図情報には、震源地や被災地付近の詳細な地図、各地の震度などの詳細な情報が含まれる。このように、携帯端末１０は、第２液晶表示装置１６において、テロップ画像によって地震発生に関係する速報を通知することができるとともに、地震発生に関係する地図情報をさらに提供することができる。これにより、ユーザは、被災地の場所を視覚的に確認することができる。
【００６９】
画面Ｅは、速報に関係する情報として地震発生に関するＷｅｂページの情報が表示される表示態様を示している。画面Ｅにおいては、第２液晶表示装置１６の通知領域１６ａに表示されたテロップ画像が消去され、地震発生に関するＷｅｂページが全領域に表示される。画面Ｅの例では、Ｗｅｂページとして、各被災地の震度やＷｅｂカメラによって撮影された被災地の様子がリアルタイムに表示される。このように、携帯端末１０は、第２液晶表示装置１６において、ネットワークを介して他の端末と通信することにより取得した速報に関係する情報をさらに提供することができる。また、ユーザは、Ｗｅｂカメラによる画像を確認することができるため、被災地の状況をリアルタイムに確認することができる。
【００７０】
画面Ｆは、速報に関係する情報として地震発生に関する安否確認表示の表示態様を示している。画面Ｆにおいては、第２液晶表示装置１６にテロップ画像が表示されるとともに、テロップ画像以外の領域に被災地付近に在住する知人などの連絡先情報が表示される。このように、第２液晶表示装置１６において、テロップ画像によって地震発生に関係する速報を通知することができるとともに、地震発生に関係する人の連絡先情報をさらに提供することができる。
【００７１】
ここで、画面Ｆにおける連絡先情報に、携帯端末１０に登録された人の電話番号およびメールアドレスが少なくとも含まれる。本実施の形態においては、このような連絡先情報が表示されたときに、自動的に表示された人のメールアドレスに対してメールを送信するようになっている。このように、安否確認表示された人に対して自動的にメールが送信されるため、地震発生とともに即座にメールによる安否確認をすることができる。
【００７２】
さらに、ユーザは、表示された連絡先情報のうちのいずれかの人の電話番号をタッチパネル１１を用いて押圧操作することにより、押圧操作された人に対して電話をかけることができるようになっている。このように、安否確認表示された人に対して簡単に電話をかけることができるため、ユーザは、地震発生とともに即座に電話による安否確認をすることができる。
【００７３】
さらに、メールや電話によって安否確認がされたときに、相手側からメールの返信や電話の応答があった場合には、応答した人に対応する連絡先情報の表示の色が変更されるようになっている。これにより、安否確認した人からの応答があったことが一目で分かるようになるので、その後は、ユーザは、それ以外の人に対してのみ安否確認をすることができる。
【００７４】
以上のように、テロップ画像の表示が第１液晶表示装置１２から第２液晶表示装置１６に変更された場合に、速報に関係する情報が第２液晶表示装置１６に表示される。これにより、第２液晶表示装置１６においては、テロップ画像によって速報を通知することができるとともに、速報に関係する情報を提供することができる。
【００７５】
（Ｗｅｂページ情報記憶テーブル）
次に、図６を参照して、ＲＡＭ１４に格納されたＷｅｂページ情報記憶テーブルについて説明する。図６は、本実施の形態におけるＲＡＭ１４に格納されたＷｅｂページ情報記憶テーブルを説明するための図である。
【００７６】
図６に示すように、Ｗｅｂページ情報記憶テーブルには、速報に関係する情報としてＷｅｂページの情報と、当該Ｗｅｂページに対応付けられた複数のキーワードとが格納されている。
【００７７】
Ｗｅｂページの情報には、Ｗｅｂページの名称やアドレスの情報が含まれる。本実施の形態においては、Ｗｅｂページを予めユーザが設定することができるようになっており、設定されたＷｅｂページがＷｅｂページ情報記憶テーブルに格納される。
【００７８】
キーワードは、単語などの文字情報である。本実施の形態においては、キーワードを予めユーザが設定することができるようになっている。そのため、ユーザは、予め速報に関係するような単語を設定することができる。また、このようなキーワードは、ユーザの設定によって、予めＷｅｂページに対応付けられて、Ｗｅｂページ情報記憶テーブルに格納される。
【００７９】
図６の例では、「地震」、「震度」、および「震災」のキーワードが、地震速報に関係する情報としての「地震速報ページ」に対応付けられている。また、「選挙」、「当選」、および「開票」のキーワードが、選挙速報に関係する情報としての「選挙速報ページ」に対応付けられている。
【００８０】
（安否確認情報記憶テーブル）
次に、図７を参照して、ＲＡＭ１４に格納された安否確認情報記憶テーブルについて説明する。図７は、本実施の形態におけるＲＡＭ１４に格納された安否確認情報記憶テーブルを説明するための図である。
【００８１】
図７に示すように、安否確認情報記憶テーブルには、速報に関係する情報として連絡先情報と、当該連絡先情報に対応付けられた複数のキーワードとが格納されている。
【００８２】
連絡先情報は、ＲＡＭ１４に記憶されたアドレス帳の登録データと連携している。そのため、予めユーザがアドレス帳に知人などの連絡先情報を登録することにより、安否確認情報記憶テーブルの連絡先情報に格納されるようになっている。なお、連絡先情報には、「名前」、「電話番号」、「メールアドレス」、および「住所」が含まれる。
【００８３】
キーワードは、単語などの文字情報である。本実施の形態においては、ユーザが、キーワードを予め設定することができるようになっている。そのため、ユーザは、予め速報に関係するような単語を設定することができる。また、このようなキーワードは、連絡先情報に含まれる住所と対応付けられて安否確認情報記憶テーブルに格納される。
【００８４】
図７の例では、当該キーワードには、キーワード１、キーワード２、キーワード３が含まれる。
【００８５】
キーワード１のメモリ領域には、地方の名称が格納される。より具体的に、キーワード１のメモリ領域には、「関西地方」、「中部地方」、「関東地方」などのキーワードが格納される。
【００８６】
キーワード２のメモリ領域には、都道府県の名称が各地方に対応付けられて格納される。より具体的に、キーワード２のメモリ領域には、「大阪府」、「奈良県」などのキーワードが、キーワード１の「関西地方」に対応付けられて格納されている。また、キーワード２のメモリ領域には、「愛知県」などのキーワードが、キーワード１の「中部地方」に対応付けられて格納されている。また、キーワード２のメモリ領域には、「東京都」などのキーワードが、キーワード１の「関東地方」に対応付けられて格納されている。
【００８７】
キーワード３のメモリ領域には、市町村区の名称が各都道府県に対応付けられて格納される。より具体的に、キーワード３のメモリ領域には、「大阪市」、「東大阪市」などのキーワードが、キーワード２の「大阪府」に対応付けられて格納されている。また、キーワード３のメモリ領域には、「奈良市」、「郡山市」などのキーワードが、キーワード２の「奈良県」に対応付けられて格納されている。また、キーワード３のメモリ領域には、「名古屋市」、「豊田市」などのキーワードが、キーワード２の「愛知県」に対応付けられて格納されている。また、キーワード３のメモリ領域には、「品川区」、「世田谷区」などのキーワードが、キーワード２の「東京都」に対応付けられて格納されている。
【００８８】
また、このようなキーワードは、連絡先情報の住所に対応付けられている。たとえば、図７の一例では、大阪市に住所を有する「山田」さんの電話番号である「１２−３４５６」、メールアドレスである「ａｂｃ＠△△△ｎｅ．ｊｐ」、および住所である「大阪市・・・」が、「関西地方」、「大阪府」、および「大阪市」の各キーワードに対応づけられている。
【００８９】
（速報時画面変更処理）
次に、図８を参照して、ＣＰＵ１５が実行する速報時画面変更処理について説明する。図８は、本実施の形態におけるＣＰＵ１５が実行する速報時画面変更処理のフローチャート図である。
【００９０】
速報時画面変更処理が実行されると、ステップＳ１１０において、ＣＰＵ１５は、第１液晶表示装置１２にテレビ画像が表示されているか否かを判定する。ＣＰＵ１５は、テレビ画像が表示されていると判定したときには（ステップＳ１１０においてＹＥＳ）、ステップＳ１２０において、第１液晶表示装置１２にテロップ画像が表示されているか否かを判定する。一方、ＣＰＵ１５は、テレビ画像が表示されていないと判定したときには（ステップＳ１１０においてＮＯ）、速報時画面変更処理を終了する。
【００９１】
次に、ステップＳ１２０において、ＣＰＵ１５は、テロップ画像が表示されていると判定したときには（ステップＳ１２０においてＹＥＳ）、ステップＳ１３０において、テロップ画像の表示を第１液晶表示装置１２から第２液晶表示装置１６に変更する。一方、ＣＰＵ１５は、テロップ画像が表示されていないと判定したときには（ステップＳ１２０においてＮＯ）、速報時画面変更処理を終了する。
【００９２】
次に、ステップＳ１３０の処理の後、ステップＳ１４０において、ＣＰＵ１５は、第１液晶表示装置１２に表示されたテレビ画像の表示を全領域に拡大する。その後、ＣＰＵ１５は、速報時画面変更処理を終了する。
【００９３】
（地図情報表示処理）
次に、図９を参照して、ＣＰＵ１５が実行する地図情報表示処理について説明する。本実施の形態においては、図９の地図情報表示処理、後述する図１０のＷｅｂページ表示処理、および後述する図１１の安否確認処理のいずれを実行するかをユーザによって設定できるようになっている。そして、ユーザ設定により実行が許可された場合、ＣＰＵ１５によって、いずれかの処理が図８の速報時画面変更処理の後に実行される。図９は、本実施の形態におけるＣＰＵ１５が実行する地図情報表示処理のフローチャート図である。
【００９４】
地図情報表示処理が実行されると、ステップＳ２１０において、ＣＰＵ１５は、第２液晶表示装置１６に表示されたテロップ画像の文字情報を認識し、当該文字情報を認識できたか否かを判定する。より具体的に、ＣＰＵ１５は、ＲＡＭ１４に格納された放送信号に基づく画像情報を参照することにより、当該画像情報に含まれるテロップ画像の文字情報を認識できたか否かを判定する。ＣＰＵ１５は、文字情報を認識できたと判定したときには（ステップＳ２１０においてＹＥＳ）、ステップＳ２２０において、認識した文字情報に基づいて地震関連の文字情報を認識したか否かを判定する。ここで、「地震関連の文字情報」とは、たとえば、被災地の地名や、各被災地の震度などの文字情報である。一方、ＣＰＵ１５は、文字情報を認識できなかったと判定したときには（ステップＳ２１０においてＮＯ）、地図情報表示処理を終了する。
【００９５】
次に、ステップＳ２２０において、ＣＰＵ１５は、地震関連の文字情報を認識したと判定したときには（ステップＳ２２０においてＹＥＳ）、ステップＳ２３０において、地震関連の文字情報として震度および被災地の地名の文字情報をＲＡＭ１４に格納する。一方、ＣＰＵ１５は、地震関連の文字情報を認識していないと判定したときには（ステップＳ２２０においてＮＯ）、地図情報表示処理を終了する。
【００９６】
次に、ステップＳ２３０の処理の後、ステップＳ２４０において、ＣＰＵ１５は、被災地の地名を含む地図情報をサーバから取得する。より具体的に、ＣＰＵ１５は、通信装置２０を制御することにより、ネットワークを介して通信可能なサーバにアクセスし、当該サーバ内の記憶部に格納された地図情報を、サーバ内の記憶部から取得する。このとき、ＣＰＵ１５は、ステップＳ２３０においてＲＡＭ１４に格納した被災地の地名に基づき、被災地付近の地図情報をサーバから取得する。
【００９７】
次に、ステップＳ２５０において、ＣＰＵ１５は、取得した地図情報に震度などの文字情報を付加して、当該地図情報を第２液晶表示装置１６に表示させる。その後、ＣＰＵ１５は、地図情報表示処理を終了する。
【００９８】
（Ｗｅｂページ表示処理）
次に、図１０を参照して、ＣＰＵ１５が実行するＷｅｂページ表示処理について説明する。Ｗｅｂページ表示処理は、ユーザ設定により実行が許可された場合に、ＣＰＵ１５によって図８の速報時画面変更処理の後に実行される。図１０は、本実施の形態におけるＣＰＵ１５が実行するＷｅｂページ表示処理のフローチャート図である。
【００９９】
Ｗｅｂページ表示処理が実行されると、ステップＳ３１０において、ＣＰＵ１５は、第２液晶表示装置１６に表示されたテロップ画像の文字情報を認識し、当該文字情報を認識できたか否かを判定する。より具体的に、ＣＰＵ１５は、ＲＡＭ１４に格納された放送信号に基づく画像情報を参照することにより、当該画像情報に含まれるテロップ画像の文字情報を認識できたか否かを判定する。ＣＰＵ１５は、文字情報を認識できたと判定したときには（ステップＳ３１０においてＹＥＳ）、ステップＳ３２０において、認識した文字情報に基づいて地震関連の文字情報を認識したか否かを判定する。ここで、「地震関連の文字情報」とは、たとえば、「地震」、「震度」、「震災」などの文字情報である。一方、ＣＰＵ１５は、文字情報を認識できなかったと判定したときには（ステップＳ３１０においてＮＯ）、Ｗｅｂページ表示処理を終了する。
【０１００】
次に、ステップＳ３２０において、ＣＰＵ１５は、地震関連の文字情報を認識したと判定したときには（ステップＳ３２０においてＹＥＳ）、ステップＳ３３０において、予め設定された地震関連のＷｅｂページを第２液晶表示装置１６に表示させる。つまり、ＣＰＵ１５は、ステップＳ３２０で認識した文字情報が、図６のＷｅｂページ情報記憶テーブルに格納されたキーワードに該当するか否かを判定し、該当する場合に、当該キーワードに対応付けられたＷｅｂページ（この場合、地震速報ページ）を第２液晶表示装置１６に表示させる。その後、ＣＰＵ１５は、Ｗｅｂページ表示処理を終了する。
【０１０１】
一方、ステップＳ３２０において、ＣＰＵ１５は、地震関連の文字情報を認識していないと判定したときには（ステップＳ３２０においてＮＯ）、ステップＳ３４０において、選挙関連の文字情報を認識したか否かを判定する。ここで、「選挙関連の文字情報」とは、たとえば、「選挙」、「当選」、「開票」などの文字情報である。
【０１０２】
ステップＳ３４０において、ＣＰＵ１５は、選挙関連の文字情報を認識したと判定したときには（ステップＳ３４０においてＹＥＳ）、ステップＳ３５０において、予め設定された選挙関連のＷｅｂページを第２液晶表示装置１６に表示させる。つまり、ＣＰＵ１５は、ステップＳ３４０で認識した文字情報が、図６のＷｅｂページ情報記憶テーブルに格納されたキーワードに該当するか否かを判定し、該当する場合に、当該キーワードに対応付けられたＷｅｂページ（この場合、選挙速報ページ）を第２液晶表示装置１６に表示させる。その後、ＣＰＵ１５は、Ｗｅｂページ表示処理を終了する。
【０１０３】
一方、ステップＳ３４０において、ＣＰＵ１５は、選挙関連の文字情報を認識していないと判定したときには（ステップＳ３４０においてＮＯ）、ステップＳ３６０において、認識された文字情報に基づき検索サイトでＷｅｂページを検索する。より具体的に、ＣＰＵ１５は、通信装置２０によってネットワークを介して通信可能な他の端末にアクセスすることにより、ステップＳ３４０で認識した文字情報に関連するＷｅｂページを検索する。たとえば、ＣＰＵ１５は、検索エンジンなどを用いて文字情報に基づき関連するＷｅｂページを検索する。
【０１０４】
次に、ステップＳ３７０において、ＣＰＵ１５は、検索されたＷｅｂページを第２液晶表示装置１６に表示させる。たとえば、ＣＰＵ１５は、検索エンジンなどを用いて文字情報を用いて検索した結果に基づき、検索数が最も多いＷｅｂページを第２液晶表示装置１６に表示させる。その後、ＣＰＵ１５は、Ｗｅｂページ表示処理を終了する。
【０１０５】
（安否確認処理）
次に、図１１を参照して、ＣＰＵ１５が実行する安否確認処理について説明する。安否確認処理は、ユーザ設定により実行が許可された場合に、ＣＰＵ１５によって図８の速報時画面変更処理の後に実行される。図１１は、本実施の形態におけるＣＰＵ１５が実行する安否確認処理のフローチャート図である。
【０１０６】
安否確認処理が実行されると、ステップＳ４１０において、ＣＰＵ１５は、第２液晶表示装置１６に表示されたテロップ画像の文字情報を認識し、当該文字情報を認識できたか否かを判定する。より具体的に、ＣＰＵ１５は、ＲＡＭ１４に格納された放送信号に基づく画像情報を参照することにより、当該画像情報に含まれるテロップ画像の文字情報を認識できたか否かを判定する。ＣＰＵ１５は、文字情報を認識できたと判定したときには（ステップＳ４１０においてＹＥＳ）、ステップＳ４２０において、認識した文字情報に基づいて地震関連の文字情報を認識したか否かを判定する。ここで、「地震関連の文字情報」とは、たとえば、被災地の地名などの文字情報である。一方、ＣＰＵ１５は、文字情報を認識できなかったと判定したときには（ステップＳ４１０においてＮＯ）、安否確認処理を終了する。
【０１０７】
次に、ステップＳ４２０において、ＣＰＵ１５は、地震関連の文字情報を認識したと判定したときには（ステップＳ４２０においてＹＥＳ）、ステップＳ４３０において、地震関連の文字情報として被災地の地名の文字情報をＲＡＭ１４に格納する。一方、ＣＰＵ１５は、地震関連の文字情報を認識していないと判定したときには（ステップＳ４２０においてＮＯ）、安否確認処理を終了する。
【０１０８】
次に、ステップＳ４３０の処理の後、ステップＳ４４０において、ＣＰＵ１５は、被災地近辺に在住する人の連絡先情報を第２液晶表示装置１６に表示させる。より具体的に、ＣＰＵ１５は、ステップＳ４２０で認識した文字情報が、図７の安否確認情報記憶テーブルにおけるキーワード１〜３のメモリ領域に格納されたキーワードに該当するか否かを判定する。ＣＰＵ１５は、認識した文字情報がキーワード１〜３のメモリ領域に格納されたキーワードに該当する場合に、当該キーワードに対応付けられた連絡先情報を第２液晶表示装置１６に表示させる。たとえば、認識した文字情報が、「関西地方」であれば、連絡先情報として、「山田」さん、「佐藤」さん、「鈴木」さんの名前、電話番号、メールアドレス、および住所が第２液晶表示装置１６に表示される。
【０１０９】
次に、ステップＳ４５０において、ＣＰＵ１５は、第２液晶表示装置１６に表示された登録データのメールアドレスに対して、通信装置２０に安否確認メールを自動送信させる。
【０１１０】
次に、ステップＳ４６０において、ＣＰＵ１５は、安否確認メールを送信した相手の端末から返信があったか否かを判定する。ＣＰＵ１５は、返信があったと判定したときには（ステップＳ４６０においてＹＥＳ）、ステップＳ４９０において、安否確認がされたと判断して、当該安否確認済みの人の連絡先情報の表示の色を変更する。その後、ＣＰＵ１５は、安否確認処理を終了する。
【０１１１】
一方、ＣＰＵ１５は、返信がないと判定したときには（ステップＳ４６０においてＮＯ）、ステップＳ４７０において、第２液晶表示装置１６に表示された連絡先情報に対応する人に対して電話がかけられたか否かを判定する。ここで、電話がかけられたか否かの判定において、ＣＰＵ１５は、所定時間（たとえば１０分）の間に電話がかけられたか否かを判定する。なお、本実施の形態において、携帯端末１０のユーザは、第２液晶表示装置１６に表示された連絡先情報に含まれる電話番号をタッチパネル１１を用いて押圧操作することによって、連絡先情報に対応する人に対して電話をかけることができる。
【０１１２】
ＣＰＵ１５は、登録データに含まれる人に対して電話がかけられたと判定したときには（ステップＳ４７０においてＹＥＳ）、ステップＳ４８０において、電話をかけた相手側からの応答があったか否かを判定する。ここで、相手側からの応答があったか否かの判定において、ＣＰＵ１５は、所定時間（たとえば１０分）の間に相手側からの応答があったか否かを判定する。一方、ＣＰＵ１５は、登録データに含まれる人に対して電話がかけられなかったと判定したときには（ステップＳ４７０においてＮＯ）、再度ステップＳ４６０の処理に移行する。
【０１１３】
次に、ＣＰＵ１５は、ステップＳ４８０において、相手側からの応答があったと判定したときには、ステップＳ４９０の処理に移行し、その後、安否確認処理を終了する。一方、ＣＰＵ１５は、相手側からの応答がなかったと判定したときには、再度ステップＳ４６０の処理に移行する。
【０１１４】
以上のように、本実施の形態実施に係る携帯端末１０は、放送信号を受信するための通信部２００（通信装置２０）と、放送信号に基づいてテレビ画像を表示するための第１液晶表示部１２０（第１液晶表示装置１２）と、画像を表示するための第２液晶表示部１６０（第２液晶表示装置１６）と、通信部２００（通信装置２０）が速報を通知する信号を受信した場合に、当該速報を通知するテロップ画像の表示を、第１液晶表示部１２０（第１液晶表示装置１２）から第２液晶表示部１６０（第２液晶表示装置１６）に変更するための表示変更部１５６（ＣＰＵ１５）と、テロップ画像の表示が第１液晶表示部１２０（第１液晶表示装置１２）から第２液晶表示部１６０（第２液晶表示装置１６）に変更された場合に、速報に関係する情報（地震発生や選挙の開票などに関する詳細な情報）を、第２液晶表示部１６０（第２液晶表示装置１６）に表示させるための第２表示制御部１５２（ＣＰＵ１５）とを含む。
【０１１５】
本実施の形態によれば、第１液晶表示部１２０（第１液晶表示装置１２）に速報を通知するテロップ画像が表示された場合には、当該テロップ画像の表示が第１液晶表示部１２０（第１液晶表示装置１２）から第２液晶表示部１６０（第２液晶表示装置１６）に変更される。これにより、第１液晶表示部１２０（第１液晶表示装置１２）においてはテロップ画像を除いた画像のみを表示させることができるとともに、第２液晶表示部１６０（第２液晶表示装置１６）においてはテロップ画像によって速報を通知することができる。したがって、放送信号に基づく画像の表示領域を縮小することなくテロップ画像による速報を通知することができる。さらに、テロップ画像の表示が第１液晶表示部１２０（第１液晶表示装置１２）から第２液晶表示部１６０（第２液晶表示装置１６）に変更された場合に、速報に関係する情報が第２液晶表示部１６０（第２液晶表示装置１６）に表示される。これにより、第２液晶表示部１６０（第２液晶表示装置１６）においては、テロップ画像によって速報を通知することができるとともに、速報に関係する情報を提供することができる。
【０１１６】
また、本実施の形態実施に係る携帯端末１０は、第２液晶表示部１６０（第２液晶表示装置１６）に表示されたテロップ画像を認識するための文字情報認識部１５９（ＣＰＵ１５）をさらに含み、第２表示制御部１５２（ＣＰＵ１５）は、文字情報認識部１５９（ＣＰＵ１５）によって認識されたテロップ画像に基づき、速報に関係する情報を第２液晶表示部１６０（第２液晶表示装置１６）に表示させる。
【０１１７】
本実施の形態によれば、第２液晶表示部１６０（第２液晶表示装置１６）に表示されたテロップ画像が認識され、認識されたテロップ画像に基づき、速報に関係する情報が第２液晶表示部１６０（第２液晶表示装置１６）に表示される。これにより、第２液晶表示部１６０（第２液晶表示装置１６）に表示されたテロップ画像に応じて、速報に関係する情報を提供することができる。
【０１１８】
また、本実施の形態実施に係る携帯端末１０において、文字情報認識部１５９（ＣＰＵ１５）は、テロップ画像に含まれる文字情報を認識する。
【０１１９】
本実施の形態によれば、第２液晶表示部１６０（第２液晶表示装置１６）に表示されたテロップ画像に含まれる文字情報が認識され、認識された当該文字情報に基づき、速報に関係する情報が第２液晶表示部１６０（第２液晶表示装置１６）に表示される。これにより、第２液晶表示部１６０（第２液晶表示装置１６）に表示されたテロップ画像に含まれる文字情報に応じて、速報に関係する情報を提供することができる。
【０１２０】
また、本実施の形態実施に係る携帯端末１０は、速報に関係する情報と、当該速報に関係する情報に対応付けられた文字情報とを格納するための記憶部１３０（ＲＡＭ１４）をさらに含み、第２表示制御部１５２（ＣＰＵ１５）は、文字情報認識部１５９（ＣＰＵ１５）によって認識された文字情報と、記憶部１３０（ＲＡＭ１４）に格納された文字情報とに基づき記憶部１３０（ＲＡＭ１４）から抽出された速報に関係する情報を、第２液晶表示部１６０（第２液晶表示装置１６）に表示させる。
【０１２１】
本実施の形態によれば、テロップ画像に含まれる文字情報と、記憶部１３０（ＲＡＭ１４）に格納された文字情報とに基づき記憶部１３０（ＲＡＭ１４）から抽出された速報に関係する情報が、第２液晶表示部１６０（第２液晶表示装置１６）に表示される。これにより、文字情報に対応付けて、所望の速報に関係する情報を記憶部１３０（ＲＡＭ１４）に格納させておくだけで、テロップ画像に含まれる文字情報に基づき、所望の速報に関係する情報を提供することができる。
【０１２２】
また、本実施の形態実施に係る携帯端末１０において、速報は、地震発生に関係する速報を含み、第２液晶表示部１６０（第２液晶表示装置１６）に表示される速報に関係する情報は、地震発生に関係する地図情報を含む。
【０１２３】
本実施の形態によれば、第２液晶表示部１６０（第２液晶表示装置１６）において、テロップ画像によって地震発生に関係する速報を通知することができるとともに、地震発生に関係する地図情報をさらに提供することができる。
【０１２４】
また、本実施の形態実施に係る携帯端末１０において、速報は、地震発生に関係する速報を含み、第２液晶表示部１６０（第２液晶表示装置１６）に表示される速報に関係する情報は、地震発生に関係する人の連絡先情報を含む。
【０１２５】
本実施の形態によれば、第２液晶表示部１６０（第２液晶表示装置１６）において、テロップ画像によって地震発生に関係する速報を通知することができるとともに、地震発生に関係する人の連絡先情報をさらに提供することができる。
【０１２６】
また、本実施の形態実施に係る携帯端末１０は、ネットワークを介して通信可能な他の端末と通信することにより、速報に関係する情報を取得するための通信部２００（通信装置２０）をさらに含み、第２液晶表示部１６０（第２液晶表示装置１６）に表示される速報に関係する情報は、通信部２００（通信装置２０）によって他の端末と通信することにより取得された情報を含む。
【０１２７】
本実施の形態によれば、第２液晶表示部１６０（第２液晶表示装置１６）において、ネットワークを介して他の端末と通信することにより取得した速報に関係する情報をさらに提供することができる。
【０１２８】
また、本実施の形態実施に係る携帯端末１０において速報を報知するための方法は、放送信号を受信するステップと、放送信号に基づいて第１液晶表示部１２０（第１液晶表示装置１２）にテレビ画像を表示させるステップと、速報を通知する信号を受信した場合に、当該速報を通知するテロップ画像の表示を、第１液晶表示部１２０（第１液晶表示装置１２）から画像を表示するための第２液晶表示部１６０（第２液晶表示装置１６）に変更するステップと、テロップ画像の表示が第１液晶表示部１２０（第１液晶表示装置１２）から第２液晶表示部１６０（第２液晶表示装置１６）に変更された場合に、速報に関係する情報を、第２液晶表示部１６０（第２液晶表示装置１６）に表示させるステップとを含む。
【０１２９】
本実施の形態によれば、第１液晶表示部１２０（第１液晶表示装置１２）に速報を通知するテロップ画像が表示された場合には、当該テロップ画像の表示が第１液晶表示部１２０（第１液晶表示装置１２）から第２液晶表示部１６０（第２液晶表示装置１６）に変更される。これにより、第１液晶表示部１２０（第１液晶表示装置１２）においてはテロップ画像を除いた画像のみを表示させることができるとともに、第２液晶表示部１６０（第２液晶表示装置１６）においてはテロップ画像によって速報を通知することができる。したがって、放送信号に基づく画像の表示領域を縮小することなくテロップ画像による速報を通知することができる。さらに、テロップ画像の表示が第１液晶表示部１２０（第１液晶表示装置１２）から第２液晶表示部１６０（第２液晶表示装置１６）に変更された場合に、速報に関係する情報が第２液晶表示部１６０（第２液晶表示装置１６）に表示される。これにより、第２液晶表示部１６０（第２液晶表示装置１６）においては、テロップ画像によって速報を通知することができるとともに、速報に関係する情報を提供することができる。
【０１３０】
また、本実施の形態実施に係る携帯端末１０において速報を報知するためのプログラムは、携帯端末１０が備えるＣＰＵ１５に、放送信号を受信するステップと、放送信号に基づいて第１液晶表示部１２０（第１液晶表示装置１２）にテレビ画像を表示させるステップと、速報を通知する信号を受信した場合に、当該速報を通知するテロップ画像の表示を、第１液晶表示部１２０（第１液晶表示装置１２）から画像を表示するための第２液晶表示部１６０（第２液晶表示装置１６）に変更するステップと、テロップ画像の表示が第１液晶表示部１２０（第１液晶表示装置１２）から第２液晶表示部１６０（第２液晶表示装置１６）に変更された場合に、速報に関係する情報を、第２液晶表示部１６０（第２液晶表示装置１６）に表示させるステップとを実行させる。
【０１３１】
本実施の形態によれば、第１液晶表示部１２０（第１液晶表示装置１２）に速報を通知するテロップ画像が表示された場合には、当該テロップ画像の表示が第１液晶表示部１２０（第１液晶表示装置１２）から第２液晶表示部１６０（第２液晶表示装置１６）に変更される。これにより、第１液晶表示部１２０（第１液晶表示装置１２）においてはテロップ画像を除いた画像のみを表示させることができるとともに、第２液晶表示部１６０（第２液晶表示装置１６）においてはテロップ画像によって速報を通知することができる。したがって、放送信号に基づく画像の表示領域を縮小することなくテロップ画像による速報を通知することができる。さらに、テロップ画像の表示が第１液晶表示部１２０（第１液晶表示装置１２）から第２液晶表示部１６０（第２液晶表示装置１６）に変更された場合に、速報に関係する情報が第２液晶表示部１６０（第２液晶表示装置１６）に表示される。これにより、第２液晶表示部１６０（第２液晶表示装置１６）においては、テロップ画像によって速報を通知することができるとともに、速報に関係する情報を提供することができる。
【０１３２】
（変形例）
以上、本実施の形態を説明してきたが、上記の実施の形態に限られず、種々の変形、応用が可能である。以下、上記の実施の形態の変形例について説明する。
【０１３３】
本実施の形態においては、ＣＰＵ１５（文字情報認識部１５９）によって、第２液晶表示装置１６に表示されたテロップ画像を認識し、認識した当該テロップ画像に含まれる文字情報を認識することによって速報に関係する情報を第２液晶表示装置１６に表示させていた。しかしながら、携帯端末１０は、通信装置２０（通信部２００）によって受信された速報を通知する信号を放送信号から検出し、検出した当該速報を通知する信号に基づき、速報に関係する情報を第２液晶表示装置１６に表示させてもよい。たとえば、携帯端末１０は、放送信号から検出した速報を通知する信号の種類（たとえば、地震速報、選挙速報などに対応する信号の種類）を判別することによって、判別した当該速報を通知する信号の種類に基づく速報に関係する情報を、第２液晶表示装置１６に表示させてもよい。
【０１３４】
このように、本変形例に係る携帯端末１０は、通信部２００（通信装置２０）によって受信された速報を通知する信号を、放送信号から検出するための構成（たとえば、ＣＰＵ１５）をさらに含み、第２表示制御部１５２（ＣＰＵ１５）は、当該構成（ＣＰＵ１５）によって検出された速報を通知する信号に基づき、速報に関係する情報を第２液晶表示部１６０（第２液晶表示装置１６）に表示させる。
【０１３５】
本変形例によれば、通信部２００（通信装置２０）によって受信された速報を通知する信号が検出され、検出された当該速報を通知する信号に基づき、速報に関係する情報が第２表示制御部１５２（ＣＰＵ１５）に表示される。これにより、通信部２００（通信装置２０）によって受信された速報を通知する信号に応じて、速報に関係する情報を提供することができる。
【０１３６】
また、本実施の形態においては、携帯端末１０の例として折りたたみ式（クラムシェル型ともいう）の携帯電話を例示した。しかしながら、携帯端末１０は、折りたたみ式に限らず、１つの液晶表示装置の画面上を２分割して、一方の画面領域において本実施の形態における第１液晶表示装置１２の機能をもたせるとともに、他方の画面領域において本実施の形態における第２液晶表示装置１６の機能をもたせるものであってもよい。また、携帯電話に限らず、スマートフォン、ＰＨＳ、タブレット型の小型コンピュータなどであってもよい。
【０１３７】
また、本実施の形態において、「通知画像」は、地震発生時や選挙の開票時におけるテロップ画像であることを例示した。しかしながら、たとえば、皇族の結婚式、芸能情報などであってもよく、テロップ画像によって速報を伝えるべきものであれば、いずれのものであってもよい。
【０１３８】
また、本実施の形態において、図７の安否確認情報記憶テーブルは、ＲＡＭ１４に記憶されたアドレス帳の登録データと連携していた。しかしながら、たとえば、ユーザによる手入力によって別途設定できるものであってもよい。
【０１３９】
また、本実施の形態において、図９の地図情報表示処理、図１０のＷｅｂページ表示処理、および図１１の安否確認処理は、ユーザによって設定することによっていずれかが実行されるものであった。しかしながら、たとえば、図９の地図情報表示処理、図１０のＷｅｂページ表示処理、および図１１の安否確認処理の全てを並行して実行し、その結果を、複数の液晶表示装置にそれぞれ表示させるものであってもよい。また、１つ画面上において分割した表示領域の中にそれぞれの結果を表示させるものであってもよい。
【０１４０】
また、本実施の形態における図１０のＷｅｂページ表示処理におけるステップＳ３７０の処理において、ＣＰＵ１５は、検索エンジンなどを用いて文字情報を用いて検索した結果に基づき、検索数が最も多いＷｅｂページを第２液晶表示装置１６に表示させていた。しかしながら、たとえば、ＣＰＵ１５は、検索エンジンなどを用いて文字情報を用いて検索した結果に基づき、検索数の多い順の上位５つのＷｅｂページを第２液晶表示装置１６に表示させるものであってもよい。
【０１４１】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１４２】
１０  携帯端末、１１  タッチパネル、１２  第１液晶表示装置、１６  第２液晶表示装置、１６ａ  通知領域。
【図１】
2013192035.tif 000003
【図２】
2013192035.tif 000004
【図３】
2013192035.tif 000005
【図４】
2013192035.tif 000006
【図５】
2013192035.tif 000007
【図６】
2013192035.tif 000008
【図７】
2013192035.tif 000009
【図８】
2013192035.tif 000010
【図９】
2013192035.tif 000011
【図１０】
2013192035.tif 000012
【図１１】
2013192035.tif 000013